(57)【特許請求の範囲】
【請求項１】
押切刃が形成されたフレキシブルアンビルダイが表面に装着された押切ロールを用いて、台紙と剥離紙が粘着剤により接合された所定幅長尺形の被加工シートに切り込み加工を連続状態で形成するためのフレキシブルアンビルダイによるハーフカット方法であって、
前記押切刃が前記押切ロールの軸線方向に対し直角方向に延設され、且つ前記押切刃の延設端部付近が曲線状態で形成され、前記押切ロールを１回転させる毎に、被加工シートに切り込みを入れた後に被加工シートを僅かに後ろに戻すことにより、前記押切刃により台紙に形成される各々の切り込み形成部同士が、隣り合う前記各々の切り込み形成部の端部付近で交差する状態になるように切り込み加工を行うことを特徴とするフレキシブルアンビルダイによるハーフカット方法。
【発明の詳細な説明】
【０００１】
【発明の属する技術分野】
本発明は、例えば台紙と剥離紙が粘着剤により接合された所定幅長尺形の被加工シートに対するハーフカット方法に関し、特に被加工シートの長手方向に台紙または剥離紙に連続的な切り込み加工を形成するためのフレキシブルアンビルダイによるハーフカット方法に関する。
【０００２】
【従来の技術】
従来より、印刷等が表面に施された台紙の裏面に粘着剤が塗布され、またその粘着剤に剥離紙が剥離可能に貼付された構造を有する所定幅を有する長尺形の被加工シート（連続用紙）が、例えばタック紙製品やラベル紙製品等を作製する際に広く用いられている。
通常、上記所定幅長尺形の被加工シートは、それぞれの最終製品毎の仕様に応じて、台紙または剥離紙のみに押切刃により所定位置に打抜きを形成する、所謂ハーフカットを行うことで、台紙または剥離紙の所定部分を剥離可能に加工したり、また台紙または剥離紙の不要な部分のみに切り込みを入れた後に不要部分でけを巻き上げることで不要部分の除去を行うなどの加工を施したりしている。
【０００３】
そして、上記加工の内、特に被加工シートの台紙または剥離紙の不要な部分のみに切り込みを入れた後に、不要な部分を巻き上げて除去する場合には、連続的に不要な部分を巻き上げるために、所定幅長尺形の被加工シートの長手方向に対して、連続的な切り込みを台紙または剥離紙に形成する必要がある。
したがって、従来から連続的な切り込みを台紙または剥離紙に形成する場合には、シリンダーに直接打抜刃を形成するダイロールを用いることでハーフカットの切り込みを形成させて、被加工シートの台紙または剥離紙に連続的な切り込みを形成している。
しかしながら、シリンダーに直接打抜刃を形成するダイロールは、硬質の金属材質のシリンダーを使用して、機械的に研磨して押切刃を形成するため、１つのダイロールを作製するために高価な製造費用がかかり、また押切刃の刃先の消耗を補うために施す押切刃の再研磨にかかる期間を考慮して、再研磨の期間に使用使用するための予備用のダイロールを用意する必要もあるため、多品種で少ロットのタック紙製品等を作製する場合には、シリンダーに直接打抜刃を形成するダイロールは適さないという問題がある。
【０００４】
また、フレキシブルなシート状材料に腐食等の化学的処理を施して押切刃を形成する所謂フレキシブルアンビルダイを、表面に永久磁石が敷設されたマグネットロールに磁気吸着させて押切ロールを構成させ、ダイロールの代わりに押切ロールを使用して台紙または剥離紙に様々な加工を行う場合もある。
この押切ロールは、ダイロールよりも比較的安価で、しかも化学的処理により容易に作製することができるという利点がある。
しかしながら、この押切ロールは、押切ロールの外周にフレキシブルアンビルダイを磁気吸着させた構造であるため、所定幅長尺形の被加工シートの長手方向に対して、連続的な切り込みを台紙または剥離紙に形成したい場合でも、押切ロールの外周の少なくとも一部にフレキシブルアンビルダイの押切刃の切れ目部分が生じるため、連続的な切り込みを台紙または剥離紙に形成することは難しいという問題がある。
【０００５】
【発明が解決しようとする課題】
本発明の課題は、ダイロールよりも比較的安価で、しかも比較的容易に作製することができるフレキシブルアンビルダイを表面に装着した押切ロールを用いて、台紙と剥離紙が粘着剤により接合された所定幅長尺形の被加工シートの台紙または剥離紙に連続的な切り込みを形成することが可能なフレキシブルアンビルダイによるハーフカット方法を提供する。
【０００６】
【課題を解決するための手段】
本発明のフレキシブルアンビルダイによるハーフカット方法は、押切刃が形成されたフレキシブルアンビルダイが表面に装着された押切ロールを用いて、台紙と剥離紙が粘着剤により接合された所定幅長尺形の被加工シートに切り込み加工を連続状態で形成するためのフレキシブルアンビルダイによるハーフカット方法であって、前記押切刃が前記押切ロールの軸線方向に対し直角方向に延設され、且つ前記押切刃の延設端部付近が曲線状態で形成され、 前記押切ロールを１回転させる毎に、被加工シートに切り込みを入れた後に被加工シートを僅かに後ろに戻すことにより、前記押切刃により台紙に形成される各々の切り込み形成部同士が、隣り合う前記各々の切り込み形成部の端部付近で交差する状態になるように切り込み加工を行うことを特徴とするものである。
【０００７】
【発明の実施の形態】
以下、本発明の実施の形態を図面に基づいて詳細に説明する。図１は、本発明のフレキシブルアンビルダイによるハーフカット方法で作製した被加工シートの平面図、図２は、図１の被加工シートの断面図であり、横ミシン目５に平行、かつ送り穴６を通る断面の様態を表わす。図３は、本発明のフレキシブルアンビルダイによるハーフカット方法に用いる印刷・切り込み装置の側面図、図４は、本発明に用いるフレキシブルアンビルダイの平面図、図５は、本発明に用いるフレキシブルアンビルダイが表面に装着された押切ロールの平面図、図６は、本発明の方法により被加工シートに切り込みを入れる工程を示し、（ａ）は、被加工シートに切り込みを入れる前の状態を示す側面図、（ｂ）は、被加工シートに切り込みを入れている状態を示す側面図、（ｃ）は、被加工シートに切り込みを入れた後の状態を示す側面図、（ｄ）は、被加工シートに切り込みを入れた後に被加工シートを後ろに戻す状態を示す側面図、図７は、被加工シートの送り寸法と切り込み寸法を説明するための被加工シートの一部平面図、図８は、本発明と異なる方法で切り込みを入れた状態を示す被加工シートの一部平面図である。
【０００８】
以下、本発明のフレキシブルアンビルダイによるハーフカット方法の実施形態について説明する。
図１には、本発明のフレキシブルアンビルダイによるハーフカット方法を使用して切り込み加工を施した被加工シートの一例を示している。
図１に示した被加工シート１は、裏面に粘着剤４が塗布された台紙２と粘着剤４を剥離可能に被覆した剥離紙３とが接合された構成を有し、所定幅長尺形の帯状の連続用紙からなるもので、最終製品の用途の仕様に応じて長手方向に対し所定間隔で横ミシン目５が形成され、この横ミシン目５から切り離すことで単位毎の製品として切り離し分割することができるようにしてある。
また、被加工シート１の両側端付近には、被加工シート１を連続状態で搬送する際に、搬送装置のピントラクター等で引っかけて搬送するための送り穴６が所定間隔で形成されている。
【０００９】
そして、図１は、送り穴６が形成されている部分を含めて、被加工シート１の両側端付近において各々所定幅部分の台紙２とその裏面に塗布された粘着剤４が不要部分として長手方向に連続的に切り取られた状態を示している。
つまり、図２に示す不要部分である切り取り部分２ａを被加工シート１から切り離すために、本発明の方法により台紙２の所定位置に切り込みを連続的に形成し、その後に切り取り部分２ａを連続的に巻き取って削除するものである。
図１，図２に示す被加工シート１の例では、不要部分である切り取り部分２ａを取り除くことにより、横ミシン目５から切り離して単位毎のラベル製品に仕上げた場合に、剥離紙３から台紙２を剥離する際に剥離しやすくするために、あらかじめ切り取り部分２ａを取り除くようにしたものである。
【００１０】
次に、本発明の方法により、上述の不要部分である切り取り部分２ａを切り離すために、台紙２の所定位置に切り込みを連続的に形成した後、切り取り部分２ａを連続的に巻き取る方法を以下に説明する。
まず、図３に示すように、切り取り部分２ａを切り離す前の被加工シート１を送りローラ７により搬送し、印刷部８に送り込み、台紙２の表面に所定の印刷を施した後、次に打抜部１０に被加工シート１を供給する。
打抜部１０には、表面側に押切刃１１が形成されたフレキシブルアンビルダイ１２が表面に装着された押切ロール１３と、その押切ロール１３の下に設けられた受胴１４とが備えられている。
また、印刷部８と打抜部１０の間には、被加工シート１を弛ませた状態に設定させておき、この弛み状態を常時検知するためのループセンサー９が設けられていて、ループセンサー９の被加工シート１に対する検知により、送りローラ７等の搬送装置による被加工シート１の送り又は戻しをコントロールしている。
【００１１】
そして、打抜部１０におけるフレキシブルアンビルダイ１２の表面側に形成された押切刃１１により、被加工シート１に切り込みを入れ、切り取り部分２ａを台紙２の一部及び剥離紙上から分離し、かす揚げロール１５に巻き取ることで不要部分である切り取り部分２ａを取り除いた被加工シート１に加工するものである。
また、切り取り部分２ａを取り除いた被加工シート１は、その後、次工程であるミシン目加工部等へと搬送される。
【００１２】
図４に示すように、フレキシブルアンビルダイ１２には、腐食等の化学的処理を施すことにより押切刃１１が形成されてある。
そして、フレキシブルアンビルダイ１２に形成する押切刃１１は、その刃の先端が押切ロール１３の軸線方向に対し直角方向に直線的に延設される状態で設けられ、且つ延設されたそれぞれの端部付近で曲線状態に形成された部分１１ａを備えている。
図４に示すフレキシブルアンビルダイ１２においては、図１，図２に示す被加工シート１の両側の切り取り部分２ａを台紙２の一部及び剥離紙上から分離するため、被加工シート１の両側付近にそれぞれ２本の切り込み形成を行うための押切刃１１が２列形成されている。
このフレキシブルアンビルダイ１２は、図５に示すように押切刃１１形成部分を表面側として、押切ロール１３の表面側に敷設された永久磁石により磁気吸着させて固定させる。
【００１３】
次に、図６，図７に基づいて被加工シート１に切り込みを入れる場合について説明する。
打抜部１０では、通常押切ロール１３だけが回転していて、被加工シート１に押切ロール１３のフレキシブルアンビルダイ１２の押切刃１１が接触していない場合には、図６（ａ）に示すように被加工シート１が搬送されていない状態にしておく。
そして、押切ロール１３が回転することにより、被加工シート１にフレキシブルアンビルダイ１２の押切刃１１が接触することで、図６（ｂ）に示すように押切ロール１３の下に設けられた受胴１４が回転して、被加工シート１を搬送させながら押切刃１１で被加工シート１に切り込みを入れる。
そして、押切刃１１で被加工シート１に切り込みを入れた後に、被加工シート１から押切刃１１が離れると同時に、図６（ｃ）に示すように受胴１４が停止して被加工シート１の搬送も停止される。
この被加工シート１の搬送の停止は、被加工シート１から押切刃１１が離れることで、押切ロール１３と受胴１４とによる被加工シート１への加圧状態が解除されたために、ループセンサー９が被加工シート１に対する弛み状態の変化を検知し、被加工シート１の搬送停止信号を搬送装置に送ることで一時的に被加工シート１の搬送を停止させる。
そして、被加工シート１の搬送を一時的に停止させた後に、搬送装置は、図６（ｄ）に示すように被加工シート１を僅かに逆方向に戻して停止するように設定されている。
この被加工シート１に対する僅かな逆方向への戻し搬送により、次の押切ロール１３の回転におけるフレキシブルアンビルダイ１２の押切刃１１による被加工シート１への切り込み線部分１５が、特に曲線状態の切り込み線部分１５ａどうしにおいて交差状態の切り込み加工を可能にしている。
【００１４】
また、図７に示すように、押切ロール１３を１回転し押切刃１１で被加工シート１に切り込みを入れる場合における被加工シート１の搬送寸法ａに対して、押切ロール１３を１回転する毎にフレキシブルアンビルダイ１２の押切刃１１で被加工シート１に切り込みを入れる寸法ｂが少しだけ長くなるように、押切刃１１の長さが設定されている。
従って、押切ロール１３を順次回転させ１回転毎に僅かに搬送を戻すことにより、押切刃１１で被加工シート１に切り込みを入れた切り込み線部分１５の端部付近に形成される隣り合う各々の曲線状態の切り込み線部分１５ａが交差した状態となるため、結果として被加工シート１に連続状態の切り込みを形成することができる。
【００１５】
本発明では、押切刃の延設端部付近が曲線状に形成されているので、上記したように被加工シート１に切り込みを行った場合でも、各々の切り込み線部分１５ａが交差した状態に形成することが可能になるが、もし押切刃の延設端部付近を曲線状に形成させないで、押切刃１１の全体を直線状態に形成させた場合には、図８に示すように、切り込み線部分１６の端部付近において、隣り合う各々の切り込み線部分１６が少しずれて交差しなかったり、重ならなかったりして、被加工シート１の切り取り部分２ａを台紙２から連続的に分離して、かす揚げロール１５に巻き取ることができない危険性が高い。
【００１６】
また、上記の説明においては、被加工シート１の台紙２の一部を切り取り、剥離紙３上から分離する場合について説明したが、仕様に応じて剥離紙３の所定の一部を切り取り場合も、フレキシブルアンビルダイ１２の押切刃１１で切り込みを入れる部分を剥離紙３に入れればよいものであり、必要に応じて本発明の方法を用いることができる。
【００１７】
【発明の効果】
以上説明したように、本発明のフレキシブルアンビルダイによるハーフカット方法によれば、フレキシブルアンビルダイを表面に装着した押切ロールを用いて、台紙と剥離紙が粘着剤により接合された所定幅長尺形の被加工シートの台紙または剥離紙に連続的な切り込みを形成することが可能であるため、ダイロールよりも比較的安価で容易に被加工シートの加工を行うことができ便利である。
【００１８】
【図面の簡単な説明】
【図１】本発明のフレキシブルアンビルダイによるハーフカット方法で作製する被加工シートの平面図である。
【図２】被加工シートの断面図である。
【図３】本発明のフレキシブルアンビルダイによるハーフカット方法に用いる印刷・切り込み装置の側面図である。
【図４】本発明に用いるフレキシブルアンビルダイの平面図である。
【図５】本発明に用いるフレキシブルアンビルダイが表面に装着された押切ロールの平面図である。
【図６】本発明の方法により被加工シートに切り込みを入れる工程を示し、（ａ）は、被加工シートに切り込みを入れる前の状態を示す側面図、（ｂ）は、被加工シートに切り込みを入れている状態を示す側面図、（ｃ）は、被加工シートに切り込みを入れた後の状態を示す側面図、（ｄ）は、被加工シートに切り込みを入れた後に被加工シートを後ろに戻す状態を示す側面図である。
【図７】被加工シートの送り寸法と切り込み寸法を説明するための被加工シートの一部平面図である。
【図８】本発明と異なる方法で切り込みを入れた状態を示す被加工シートの一部平面図である。
【符号の説明】
１  被加工シート
２  台紙
２ａ  切り取り部分
３  剥離紙
４  粘着剤
５  横ミシン目
６  送り穴
７  送りローラ
８  印刷部
９  ループセンサー
１０  打抜部
１１  押切刃
１２ フレキシブルアンビルダイ
１３  押切ロール
１４  受胴
１５  切り込み線部分
１５ａ  曲線状態の切り込み線部分
１６  切り込み線部分
【図１】
0004372912.tif 000002
【図２】
0004372912.tif 000003
【図３】
0004372912.tif 000004
【図４】
0004372912.tif 000005
【図５】
0004372912.tif 000006
【図６】
0004372912.tif 000007
【図７】
0004372912.tif 000008
【図８】
0004372912.tif 000009